(57)【特許請求の範囲】
【請求項１】
監視対象の状態を無線で送信する無線式の状態送信装置と、送信された前記監視対象の状態を更新記憶して前記監視対象を管理するコントローラと、を備えた警備システムであって、
前記無線式の状態送信装置は、
前記監視対象の状態を検出するセンサと、
前記センサより検出された監視対象の状態を送信する送信部と、
制御部及び前記送信部に電力を供給するバッテリと、
前記バッテリの電圧を検出するバッテリ検出回路部と、
前記センサにより検出された監視対象の状態が変化したとき、及び、前記バッテリ検出回路部により検出された電圧に基づいてバッテリが交換されたと判断したとき、前記センサにより検出された状態を前記送信部を介して前記コントローラに送信する制御を行う制御部と、
を具備することを特徴とする警備システム。
【請求項２】
前記制御部は、前記バッテリ検出回路部により検出された電圧が０Ｖとなった後、所定電圧以上となったときバッテリが交換されたと判断する請求項１記載の警備システム。
【発明の詳細な説明】
【０００１】
【発明の属する技術分野】
本発明は、警備領域内での火災発生や侵入者を検出した状態信号を処理するコントローラから、電話回線等の通信回線を介して警備センターに通報を行う警備システムに関する。
【０００２】
【従来の技術】
上記警備システムでは、マンション、一般家屋、ビル、工場等の警備領域内に、火災検知センサ、侵入者検知センサ、ガス漏れ検出センサ等の各種センサが監視対象に設置され、これらのセンサで検出された監視対象の状態がコントローラで記憶管理される。コントローラは電話回線を介して遠隔の警備センターに接続されており、警備領域内で、例えば、侵入者検知センサが侵入者を検出すると、コントローラから警備センターへ侵入異常が通報され、警備センターから対処者が向うなど適切な対処を行うようにしている。
【０００３】
各種センサは、例えば、マグネットセンサからなり、監視対象である窓、扉の開状態又は閉状態を検出するセンサである。さらに、各種センサは、状態信号をコントローラに有線又は無線で出力するセンサに分けられる。このうち無線によるセンサには、コントローラへ状態信号を送信するためバッテリで駆動する無線式の状態送信装置が接続されている。無線式の状態送信装置では、接続されているセンサの検出した状態が変化（例えば、窓が開状態から閉状態に変化）すると、その都度、現状態（閉状態）をコントローラに無線で送信する。コントローラでは、無線式の状態送信装置から状態変化のタイミングで送信されてくる現在の状態（閉状態）を記憶管理している。また、コントローラにて警備領域を警戒解除状態から警戒セット状態へ移行させるには、全てのセンサが正常状態（例えば、窓が閉じている状態）になっていることを条件としている。
【０００４】
【発明が解決しようとする課題】
ところで、上記無線式の状態送信装置では、バッテリが切れたときに、又はバッテリを交換するためにバッテリを取り外すときに、センサの状態（窓が開状態から閉状態）に変化があると、現状態（閉状態）をコントローラに送信することができない。このため、コントローラでは状態変化前の状態（開状態）が更新されないままであり、現状態（閉状態）と不一致な管理状態にある。しかも、バッテリを交換しても、センサの検出状態（閉状態）が変化しない限り現状態がコントローラに送信されないので、不一致の管理状態が変わらない。この不一致な管理状態の可能性を避けるために、バッテリを交換する毎に、センサの検出状態をわざわざ変化させるため監視対象の状態を変化させる必要があり、煩雑となるという問題がある。また、管理状態の不一致のまま放置しておくと、例えば、警備システムにおいて、窓が開けられたまま警備セット状態になる事態が生じ、侵入者が窓を開けることなく（開ける必要なく）警備領域に侵入できる。すなわち、窓の開閉検出センサが侵入者を検出しない場合が生じてしまう。
【０００５】
【課題を解決するための手段】
本発明は、前記問題点を解決するために、監視対象の状態を無線で送信する無線式の状態送信装置と、送信された前記監視対象の状態を更新記憶して前記監視対象を管理するコントローラと、を備えた警備システムにおいて、前記無線式の状態送信装置は、前記監視対象の状態を検出するセンサと、前記センサより検出された監視対象の状態を送信する送信部と、制御部及び前記送信部に電力を供給するバッテリと、前記バッテリの電圧を検出するバッテリ検出回路部と、前記センサにより検出された監視対象の状態が変化したとき、及び、前記バッテリ検出回路部により検出された電圧に基づいてバッテリが交換されたと判断したとき、前記センサにより検出された状態を前記送信部を介して前記コントローラに送信する制御を行う制御部とを具備するものとする。本発明によれば、バッテリ交換に起因する監視対象の現状態とコントローラにて記憶している該監視対象の状態との不一致を回避することができる。
【０００６】
【発明の実施の形態】
以下本発明の実施の形態について、図面を参照して説明する。
図１は、本発明に係る警備システムを説明する図である。本図に示す如く、警備システムは、複数の監視建物Ａ、Ｂ…のそれぞれに、例えば、監視建物Ａの内部（周辺も含んでもよい）には侵入者検出、火災検出、窓の開閉検出用の複数のセンサ１Ａ、２Ａ、３Ａ、４Ａと、これらのセンサからの入力に基づき警備センター１０への電話回線７Ａを介して通報したり、警備領域内を警戒セット状態又は警戒解除状態にするなどの制御を行うコントローラ５Ａが設けられる。例えば、センサ１Ａ、２Ａ、３Ａからコントローラ５Ａへは監視対象の状態変化時にその状態信号が有線で送信される。センサ４Ａには無線式の状態送信装置２０Ａが設けられ、センサ４Ａから無線式の状態送信装置２０Ａを経由してコントローラ５Ａに監視対象の状態変化時にその状態信号が無線で送信される。コントローラ５Ａは電話回線７Ａ、交換機８、電話回線９を経由して警備センター１０に接続される。なお、センサ４Ａと無線式の状態送信装置２０Ａの例で示したが複数のセンサを無線式の送信装置に接続させたものであってもよい。また、センサを無線式の状態送信装置に組み込んで構成してもよいし、緊急時に操作者によって起動するスイッチを送信装置に組み込んで構成してもよい。
【０００７】
図２は、図１のコントローラ５Ａを説明する図である。本図に示す如く、コントローラ５Ａはセンサ１Ａ、２Ａ、３Ａの信号を入力するための有線センサインタフェース（Ｉ／Ｆ）５１Ａと、無線センサ４Ａからの信号を状態送信装置２０Ａを介して受信し、また、送信装置２０Ａに送信を行うアンテナ５２Ａと、アンテナ５２Ａに接続される送信部５３Ａと、アンテナ５２Ａに接続される受信部５４Ａと、有線センサインタフェース５１Ａからセンサ１Ａ、２Ａ、３Ａから状態変化時に状態信号を入力し、受信部５４Ａを経由して、前述の如く、無線式の状態送信装置２０Ａから状態変化時に状態信号を入力し、警戒セット状態での異常状態を判断してその結果を警備センター１０に送信する制御を行うためＣＰＵ（中央演算装置）ＲＯＭ(Read Only Memory)、ＲＡＭ(Random Access Memory)からなる制御部５５Ａと、磁気カード、ＩＣカード等により警備領域内を警戒セット状態（又は警戒解除状態に設定）にする操作部５６Ａと、制御部５５Ａからのデータを電話回線に乗せて警備センター１０に出力するための通報部５７Ａと、制御部５５Ａの制御状態を表示する表示部５８Ａと、交流（ＡＣ）電源を直流（ＤＣ）に変換して送信部５３Ａ、受信部５４Ａ、制御部５５Ａ、操作部５６Ａ、通報部５７Ａ、表示部５８Ａに直流電源を供給する電源部５９Ａを具備する。
【０００８】
図３は、図１の無線式の状態送信装置２０Ａを説明する図である。本図に示す如く、無線式の状態送信装置２０Ａは、監視対象に設けられているセンサ４Ａ−１、４Ａ−２…を接続するセンサインタフェース（Ｉ／Ｆ）２１Ａと、センサインタフェース２１Ａを介して該センサの状態すなわち監視対象の状態を監視し監視対象が状態変化すると送信、表示するための処理を行うＣＰＵ、ＲＡＭ、ＲＯＭからなる制御部２２Ａと、制御部２２Ａで処理された状態信号を送信する送信部２３Ａと、送信部２３Ａに接続されるアンテナ２４Ａと、制御部２２Ａに制御されコントローラ５Ａに対して状態信号を送信中にその旨を表示する表示部２５Ａと、センサインタフェース２１Ａ、制御部２２Ａ、送信部２３Ａ、表示部２５Ａに電力を供給するバッテリ２６と、バッテリ２６の電圧を検出して検出電圧を制御部２２Ａに出力するバッテリ検出回路部２７Ａを備える。
【０００９】
図４は、バッテリ検出回路部２７Ａから入力される検出電圧に基づいて制御部２２Ａが状態信号を形成する動作例を説明するフローチャートであり、図５は、図４の動作例の説明を補足するタイミングチャートである。図４のステップＳ１において（図５参照）、センサ４Ａから監視対象に状態変化があるかを判断する。ステップＳ２において、状態変化があればコントローラ５Ａに状態変化通知を送出する。ステップＳ３において、状態変化がなければバッテリ検出回路部２７から入力される検出電圧がバッテリニアエンド電圧であるしきい値（ＴＨレベル）よりも低いかを判断する。低くなければステップＳ１に戻る。ステップＳ３において、バッテリ電圧がバッテリニアエンド電圧より低ければバッテリ２６Ａの寿命が近づいているというバッテリニアエンド異常のフラグをセットする。バッテリニアエンド異常のフラグは、例えば、バッテリ検出回路部２７Ａの検出電圧のサンプリング値が連続して４回しきい値よりも低くなったときに発生する（図５の（１）参照）。さらに、コントローラ５Ａにバッテリニアエンド情報を送出する。バッテリ２６Ａの交換を促すためである。このバッテリニアエンド情報の送信によりバッテリ２６Ａの電圧が少し降下する。その後交換までバッテリニアエンド状態が継続する（図５の（２）参照）。ステップＳ５において、状態変化があるかを判断する。ステップＳ６において、状態変化があればコントローラ５Ａに状態変化通知を送出する。ステップＳ７において、バッテリ交換を行ったかを判断する。バッテリ検出回路部２７Ａの検出電圧が０Ｖになり、その後（図５の（３）参照）バッテリ検出回路部２７Ａの検出電圧がしきい値以上になればバッテリ交換がされたと判断し（図５の（４）参照）、バッテリニアエンド異常のフラグを解除する。交換が未だ行われていなければステップＳ５に戻る。ステップＳ８において、バッテリ復旧信号をコントローラ５Ａに送信する。ステップＳ９において、複数のセンサ４Ａ−１、４Ａ−２、…の現状態通知を送出する。すなわち、バッテリ交換後は監視対象の状態が変化しなくても現在の状態をコントローラ５Ａに通知するので、バッテリ交換中に監視対象の状態が変化していたとしても、コントローラ５Ａにて記憶している監視対象の状態を更新記憶できる。したがって、コントローラ５Ａにて監視対象の状態を正確に把握することができる。
【００１０】
【発明の効果】
以上の説明により、本発明によれば、バッテリが交換されたときに監視対象の現状態をコントローラに送信するので、バッテリ交換時にもコントローラで管理する監視対象の状態と実際の状態が一致するようになる。
【図面の簡単な説明】
【図１】本発明に係る警備システムを説明する図である。
【図２】図１のコントローラ５Ａを説明する図である。
【図３】図１の無線式の状態送信装置２０Ａを説明する図である。
【図４】バッテリ検出回路部２７Ａから入力する検出電圧に基づいて、制御部２２Ａが状態信号を形成する動作例を説明するフローチャートである。
【図５】図４の動作例の説明を補足するタイミングチャートである。
【符号の説明】
１Ａ、２Ａ、３Ａ…センサ
４Ａ、４Ａ−１、４Ａ−２…センサ
５Ａ…コントローラ
２０…無線式の状態送信装置
２１Ａ…センサインタフェース
２２Ａ…制御部
２３Ａ…送信部
２４Ａ…アンテナ
２６Ａ…バッテリ
２７Ａ…バッテリ検出回路部
【図１】
0003739177.tif 000002
【図２】
0003739177.tif 000003
【図３】
0003739177.tif 000004
【図４】
0003739177.tif 000005
【図５】
0003739177.tif 000006